(57)【要約】【課題】本発明はセルフクリーニング蛍光灯を開示した。【解決手段】外殻と、下方に開口した照明チャンバとを含み、前記照明チャンバには蛍光灯が装着しており、前記照明チャンバの上端壁の前後には二つの台形ブロックが固定され、前記照明チャンバの左側端壁の中には左右移動により前記蛍光灯のクリーニングを行うクリーニング機構が設置され、前記照明チャンバの上端壁の中には前記クリーニング機構の移動を制御できる駆動機構が設置され、前記クリーニング機構は前記照明チャンバの左右端壁の中に位置する二つの回字型チャンバを含み、左側の前記回字型チャンバの中には回字型ブロックがスライド可能に設置され、前記回字型ブロックの中には前記回字型チャンバと連通された伝動チャンバが設置される。【選択図】図１
2020184501.tif 000002
【特許請求の範囲】
【請求項１】
正面視で、セルフクリーニング蛍光灯であって、外殻と、下方に開口した照明チャンバとを含み、前記照明チャンバには蛍光灯が装着しており、前記照明チャンバの上端壁の前後には二つの台形ブロックが固定され、前記照明チャンバの左側端壁の中には左右移動により前記蛍光灯のクリーニングを行うクリーニング機構が設置され、前記照明チャンバの上端壁の中には前記クリーニング機構の移動を制御できる駆動機構が設置され、前記クリーニング機構は前記照明チャンバの左右端壁の中に位置する二つの回字型チャンバを含み、左側の前記回字型チャンバの中には回字型ブロックがスライド可能に設置され、前記回字型ブロックの中には前記回字型チャンバと連通された伝動チャンバが設置され、前記伝動チャンバの中には二つのスライドできる移動板と、前記移動板をリセットできる移動ばねとが設置され、前記伝動チャンバの中には二つの前記移動板の間に位置し且つ前記移動ばねを圧縮する台形棒が設置され、前記台形棒の上端には上端が前記回字型チャンバの中に位置し且つ前記台形棒の下降を連動させることができる台形柱が設置され、前記台形棒の上端には前記台形棒をリセットできる伸縮ばねが二つ設置され、前記移動板の中には前記台形棒の一端を通せる貫通穴が設置され、前記伝動チャンバの下端壁には上方に開口した推動溝が二つ設置され、前記移動板の下端が前記推動溝の中に位置しており、前記伝動チャンバの下端壁の中には上方に開口した液圧チャンバが設置され、前記液圧チャンバの左右端壁の中には前記推動溝と前記液圧チャンバとを連通した推動チャンバが設置され、前記推動チャンバと前記液圧チャンバの中にはいずれもスライドできる推動板が設置され、左右両側の前記推動板の一端には一端が前記移動板と連結された推動棒が設置され、中間の前記推動板の上端には上端が前記伝動チャンバの中に位置する液圧棒が設置され、且つ中間の前記推動板の下端には中間の前記推動板をリセットできる液圧ばねが設置され、前記液圧棒の上端には昇降板が設置され、前記昇降板の上端と、前記台形棒の下端と前記移動板の片側端面とにはいずれも前記蛍光灯をクリーニングできるスポンジが固定され、前記台形柱が前記台形棒を下降させた後、前記移動ばねが前記移動板を移動させ、更に前記推動棒と前記推動板を移動させ、それにより前記液圧棒と前記昇降板とを上昇させ、それによりすべての前記スポンジを前記伝動チャンバから離れさせ、前記蛍光灯をクリーニングでき、前記駆動機構には前記照明チャンバの上端壁の中に位置し且つ前記回字型チャンバと前記照明チャンバとを連通した駆動チャンバが含まれ、前記駆動チャンバの中にはモータと前記モータと伝動可能に連結された駆動軸とが設置され、前記駆動軸の左右両端にはいずれもねじりばねにより回転歯車が連結され、且つ前記回転歯車の下端が前記回字型チャンバの中に位置しており、前記駆動チャンバの左右端壁の中にはいずれもばねチャンバが設置され、前記ばねチャンバの中には回転はできないが移動はできるばね棒と、前記ばね棒をリセットできる圧縮ばねとが設置され、前記ばね棒の一端が前記駆動チャンバの中に位置しており、且つ前記ばね棒の一端には下端が前記回転歯車と噛み合える固定歯車が固定され、前記固定歯車は前記回転歯車の回転を制限でき、前記駆動軸には下端が前記回字型ブロックと連結された移動ブロックがねじ山により連結されていることを特徴とするセルフクリーニング蛍光灯。
【請求項２】
前記クリーニング機構は前記回字型チャンバの片側端壁に回転可能に連結された旋転軸を含み、前記旋転軸には前記回転歯車と噛み合った旋転歯車が固定され、前記旋転軸の一端には羽根が固定され、前記回字型チャンバの片側端壁の中には外部に連通した排気口が設置され、前記排気口の一端には汚れ物をろ過できる濾過網袋が設置されていることを特徴とする請求項１に記載のセルフクリーニング蛍光灯。
【請求項３】
前記移動ブロックが前記照明チャンバの中で移動する時は二つの前記台形ブロックの間で移動することを特徴とする請求項１に記載のセルフクリーニング蛍光灯。
【発明の詳細な説明】
【技術分野】
【０００１】
本発明は灯具分野に関し、具体的にはセルフクリーニング蛍光灯に関する。
【背景技術】
【０００２】
今のところ、蛍光灯をクリーニングする時、一般は工具などを使って蛍光灯と同じの高さまで上り、手動でクリーニングを行うのであり、危険性が大きくて効率も低い。
【先行技術文献】
【特許文献】
【０００３】
【特許文献１】中国特許出願公開第102628551号明細書
【発明の概要】
【発明が解決しようとする課題】
【０００４】
本発明の目的はセルフクリーニング蛍光灯を提供し、それは上記の現在の技術中の問題を解決できる。
【課題を解決するための手段】
【０００５】
本発明のセルフクリーニング蛍光灯は、外殻と、下方に開口した照明チャンバとを含み、前記照明チャンバには蛍光灯が装着しており、前記照明チャンバの上端壁の前後には二つの台形ブロックが固定され、前記照明チャンバの左側端壁の中には左右移動により前記蛍光灯のクリーニングを行うクリーニング機構が設置され、前記照明チャンバの上端壁の中には前記クリーニング機構の移動を制御できる駆動機構が設置され、前記クリーニング機構は前記照明チャンバの左右端壁の中に位置する二つの回字型チャンバを含み、左側の前記回字型チャンバの中には回字型ブロックがスライド可能に設置され、前記回字型ブロックの中には前記回字型チャンバと連通された伝動チャンバが設置され、前記伝動チャンバの中には二つのスライドできる移動板と、前記移動板をリセットできる移動ばねとが設置され、前記伝動チャンバの中には二つの前記移動板の間に位置し且つ前記移動ばねを圧縮する台形棒が設置され、前記台形棒の上端には上端が前記回字型チャンバの中に位置し且つ前記台形棒の下降を連動させることができる台形柱が設置され、前記台形棒の上端には前記台形棒をリセットできる伸縮ばねが二つ設置され、前記移動板の中には前記台形棒の一端を通せる貫通穴が設置され、前記伝動チャンバの下端壁には上方に開口した推動溝が二つ設置され、前記移動板の下端が前記推動溝の中に位置しており、前記伝動チャンバの下端壁の中には上方に開口した液圧チャンバが設置され、前記液圧チャンバの左右端壁の中には前記推動溝と前記液圧チャンバとを連通した推動チャンバが設置され、前記推動チャンバと前記液圧チャンバの中にはいずれもスライドできる推動板が設置され、左右両側の前記推動板の一端には一端が前記移動板と連結された推動棒が設置され、中間の前記推動板の上端には上端が前記伝動チャンバの中に位置する液圧棒が設置され、且つ中間の前記推動板の下端には中間の前記推動板をリセットできる液圧ばねが設置され、前記液圧棒の上端には昇降板が設置され、前記昇降板の上端と、前記台形棒の下端と前記移動板の片側端面とにはいずれも前記蛍光灯をクリーニングできるスポンジが固定され、前記台形柱が前記台形棒を下降させた後、前記移動ばねが前記移動板を移動させ、更に前記推動棒と前記推動板を移動させ、それにより前記液圧棒と前記昇降板とを上昇させ、それによりすべての前記スポンジを前記伝動チャンバから離れさせ、前記蛍光灯をクリーニングでき、前記駆動機構には前記照明チャンバの上端壁の中に位置し且つ前記回字型チャンバと前記照明チャンバとを連通した駆動チャンバが含まれ、前記駆動チャンバの中にはモータと前記モータと伝動可能に連結された駆動軸とが設置され、前記駆動軸の左右両端にはいずれもねじりばねにより回転歯車が連結され、且つ前記回転歯車の下端が前記回字型チャンバの中に位置しており、前記駆動チャンバの左右端壁の中にはいずれもばねチャンバが設置され、前記ばねチャンバの中には回転はできないが移動はできるばね棒と、前記ばね棒をリセットできる圧縮ばねとが設置され、前記ばね棒の一端が前記駆動チャンバの中に位置しており、且つ前記ばね棒の一端には下端が前記回転歯車と噛み合える固定歯車が固定され、前記固定歯車は前記回転歯車の回転を制限でき、前記駆動軸には下端が前記回字型ブロックと連結された移動ブロックがねじ山により連結され、前記セルフクリーニング蛍光灯の作用は前記駆動機構により前記クリーニング機構を移動し、更に前記スポンジを移動して前記蛍光灯をクリーニングし、そして前記クリーニング機構により前記スポンジの汚れ物をクリーニングして次回のクリーニングに便利を与える。
【０００６】
優選的には、前記クリーニング機構は前記回字型チャンバの片側端壁に回転可能に連結された旋転軸を含み、前記旋転軸には前記回転歯車と噛み合った旋転歯車が固定され、前記旋転軸の一端には羽根が固定され、前記回字型チャンバの片側端壁の中には外部に連通した排気口が設置され、前記排気口の一端には汚れ物をろ過できる濾過網袋が設置され、前記クリーニング機構の作用は前記駆動機構により前記スポンジを連動させて前記蛍光灯をクリーニングし、また前記スポンジが再び前記回字型ブロックに戻った後前記スポンジをクリーニングすることである。
【０００７】
優選的には、前記移動ブロックが前記照明チャンバの中で移動する時は二つの前記台形ブロックの間で移動し、前記駆動機構の作用は前記移動ブロックの移動を連動させて前記回字型ブロックの移動を制御して前記蛍光灯をクリーニングする。
【発明の効果】
【０００８】
本発明の有益効果は：前記セルフクリーニング蛍光灯は構造が簡単で、操作が便利で、自動かつ迅速に蛍光灯をクリーニングでき、また、クリーニングした後にスポンジを自動的にクリーニングでき、次回のクリーニングのためスポンジの清潔を保持し、清潔効率を上げ、さらに、前記セルフクリーニング蛍光灯により人力を省き、危険性を下げる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１はセルフクリーニング蛍光灯の全体断面の正面構造図
【図２】図２はセルフクリーニング蛍光灯の回字型ブロックの全体断面の左面拡大構造図
【図３】図３はセルフクリーニング蛍光灯の回字型ブロックの局部断面の正面拡大構造図
【図４】図４はセルフクリーニング蛍光灯の駆動機構の局部断面の正面拡大図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参照し、セルフクリーニング蛍光灯であって、外殻１と、下方に開口した照明チャンバ９とを含み、前記照明チャンバ９には蛍光灯８が装着しており、前記照明チャンバ９の上端壁の前後には二つの台形ブロック１０が固定され、前記照明チャンバ９の左側端壁の中には左右移動により前記蛍光灯８のクリーニングを行うクリーニング機構３８が設置され、前記照明チャンバ９の上端壁の中には前記クリーニング機構３８の移動を制御できる駆動機構３９が設置され、前記クリーニング機構３８は前記照明チャンバ９の左右端壁の中に位置する二つの回字型チャンバ４を含み、左側の前記回字型チャンバ４の中には回字型ブロック７がスライド可能に設置され、前記回字型ブロック７の中には前記回字型チャンバ４と連通された伝動チャンバ２２が設置され、前記伝動チャンバ２２の中には二つのスライドできる移動板２５と、前記移動板２５をリセットできる移動ばね２５とが設置され、前記伝動チャンバ２２の中には二つの前記移動板２５の間に位置し且つ前記移動ばね２５を圧縮する台形棒３６が設置され、前記台形棒３６の上端には上端が前記回字型チャンバ４の中に位置し且つ前記台形棒３６の下降を連動させることができる台形柱１４が設置され、前記台形棒３６の上端には前記台形棒３６をリセットできる伸縮ばね３７が二つ設置され、前記移動板２５の中には前記台形棒３６の一端を通せる貫通穴２３が設置され、前記伝動チャンバ２２の下端壁には上方に開口した推動溝２７が二つ設置され、前記移動板２５の下端が前記推動溝２７の中に位置しており、前記伝動チャンバ２２の下端壁の中には上方に開口した液圧チャンバ３２が設置され、前記液圧チャンバ３２の左右端壁の中には前記推動溝２７と前記液圧チャンバ３２とを連通した推動チャンバ３０が設置され、前記推動チャンバ３０と前記液圧チャンバ３２の中にはいずれもスライドできる推動板２９が設置され、左右両側の前記推動板２９の一端には一端が前記移動板２５と連結された推動棒２８が設置され、中間の前記推動板２９の上端には上端が前記伝動チャンバ２２の中に位置する液圧棒３４が設置され、且つ中間の前記推動板２９の下端には中間の前記推動板２９をリセットできる液圧ばね３１が設置され、前記液圧棒３４の上端には昇降板３５が設置され、前記昇降板３５の上端と、前記台形棒３６の下端と前記移動板２５の片側端面とにはいずれも前記蛍光灯８をクリーニングできるスポンジ２６が固定され、前記台形柱１４が前記台形棒３６を下降させた後、前記移動ばね２４が前記移動板２５を移動させ、更に前記推動棒２８と前記推動板２９を移動させ、それにより前記液圧棒３４と前記昇降板３５とを上昇させ、それによりすべての前記スポンジ２６を前記伝動チャンバ２２から離れさせ、前記蛍光灯８をクリーニングでき、前記駆動機構３９には前記照明チャンバ９の上端壁の中に位置し且つ前記回字型チャンバ４と前記照明チャンバ９とを連通した駆動チャンバ１３が含まれ、前記駆動チャンバ１３の中にはモータ１１と前記モータ１１と伝動可能に連結された駆動軸１２とが設置され、前記駆動軸１２の左右両端にはいずれもねじりばね１５により回転歯車２１が連結され、且つ前記回転歯車２１の下端が前記回字型チャンバ４の中に位置しており、前記駆動チャンバ１３の左右端壁の中にはいずれもばねチャンバ２０が設置され、前記ばねチャンバ２０の中には回転はできないが移動はできるばね棒１７と、前記ばね棒１７をリセットできる圧縮ばね１９とが設置され、前記ばね棒１７の一端が前記駆動チャンバ１３の中に位置しており、且つ前記ばね棒１７の一端には下端が前記回転歯車２１と噛み合える固定歯車１８が固定され、前記固定歯車１８は前記回転歯車２１の回転を制限でき、前記駆動軸１２には下端が前記回字型ブロック７と連結された移動ブロック１６がねじ山により連結され、前記セルフクリーニング蛍光灯の作用は前記駆動機構３９により前記クリーニング機構３８を移動し、更に前記スポンジ２６を移動して前記蛍光灯８をクリーニングし、そして前記クリーニング機構により前記スポンジ２６の汚れ物をクリーニングして次回のクリーニングに便利を与える。
【００１３】
有益的には、前記クリーニング機構３８は前記回字型チャンバ４の片側端壁に回転可能に連結された旋転軸３を含み、前記旋転軸３には前記回転歯車２１と噛み合った旋転歯車５が固定され、前記旋転軸３の一端には羽根６が固定され、前記回字型チャンバ４の片側端壁の中には外部に連通した排気口４０が設置され、前記排気口４０の一端には汚れ物をろ過できる濾過網袋２が設置され、前記クリーニング機構３８の作用は前記駆動機構３９により前記スポンジ２６を連動させて前記蛍光灯８をクリーニングし、また前記スポンジ２６が再び前記回字型ブロック７に戻った後前記スポンジ２６をクリーニングすることである。
【００１４】
有益的には、前記移動ブロック１６が前記照明チャンバ９の中で移動する時は二つの前記台形ブロック１０の間で移動し、前記駆動機構３９の作用は前記移動ブロック１６の移動を連動させて前記回字型ブロック７の移動を制御して前記蛍光灯８をクリーニングする。
【００１５】
下記に、図１〜５と上記の前記セルフクリーニング蛍光灯の具体的構成を合わせて使用方法を紹介する：
【００１６】
はじめに、移動ブロック１６が左側のばね棒１７を左側のばねチャンバ２０の中に突き戻し、左側の固定歯車１８と左側の回転歯車２１を分離させる。
【００１７】
蛍光灯をクリーニングする時、モータ１１が回転して駆動軸１２を回転連動させることで、移動ブロック１６を右に運動させ、ばね棒１７が圧縮ばね１９の作用により右に運動し、左側の固定歯車１８と左側の回転歯車２１を再びかみ合わせ、回転歯車２１の回転を制限し、駆動軸１２の回転がねじりばね１５を捩らせ、移動ブロック１６の移動により回字型ブロック７が連動運動して照明チャンバ９の中に入り、台形柱１４が台形ブロック１０の作用により下降し、更に台形棒３６を下降させ、上側のスポンジ２６を伝動チャンバ２２から離れさせると同時に、台形棒３６の両端が貫通穴２３の中に入ったことで移動板２５が移動ばね２４に連動して移動し、前後二つのスポンジ２６を伝動チャンバ２２から離れさせ、移動板２５の運動により推動棒２８と両側の推動板２９とを移動させ、液圧棒３４と昇降板３５を上昇させ、下側のスポンジ２６を伝動チャンバ２２から離れさせ、四つのスポンジ２６が伝動チャンバ２２から離れて照明チャンバ９の中に入って蛍光灯８を包み、回字型ブロック７の移動により蛍光灯８をクリーニングする。
【００１８】
回字型ブロック７が右側の回字型チャンバ４の中に入ったときに、伸縮ばね３７と液圧ばね３１とが復帰し、更に移動板２５が復帰し、移動ばね２４が圧縮されると同時に、移動ブロック１６により右側のばね棒１７を右側のばねチャンバ２０の中に戻らせ、右側の固定歯車１８と右側の回転歯車２１が分離することで、右側のねじりばね１５を復帰させ、回転歯車２１を回転連動させ、更に右側の旋転歯車５と、旋転軸３と羽根６とを回転させ、それによりスポンジ２６に付着した汚れ物を吸い取り、且つ濾過網袋２で濾過し、モータ１１により駆動軸１２を反転連動させ、回字型ブロック７を左に運動させ、上記の運動により蛍光灯を再びクリーニングし、移動ブロック１６が左側のばね棒１７を復帰させる時、駆動軸１２が継続に回転し左側の回転歯車２１に左側の旋転歯車５を回転連動させ、更に左側の羽根６を回転させて再び汚れ物を吸い取る。
【００１９】
本発明の有益効果は：前記セルフクリーニング蛍光灯は構造が簡単で、操作が便利で、自動かつ迅速に蛍光灯をクリーニングでき、また、クリーニングした後にスポンジを自動的にクリーニングでき、次回のクリーニングのためスポンジの清潔を保持し、清潔効率を上げ、さらに、前記セルフクリーニング蛍光灯により人力を省き、危険性を下げる。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020184501.tif 000003
【図２】
2020184501.tif 000004
【図３】
2020184501.tif 000005
【図４】
2020184501.tif 000006